(57)【要約】【課題】本発明は、使用に便利である電気半田ごてヘッドを提供することを目的とする。【解決手段】本発明の電気半田ごてヘッドは、電気半田ごての熱伝導棒に接続される熱伝導パイプと、前記熱伝導パイプに固定される接続装置と、前記接続装置に固定される第一加熱ブロックと、前記接続装置にスライド可能に装着される第二加熱ブロックと、前記接続装置に回動可能に装着される操作装置と、を備え、前記操作装置はギヤを備え、前記第一加熱ブロックは第一挟持部を備え、前記第二加熱ブロックは、第二挟持部及び前記ギヤに噛み合う複数のラックを備え、前記ギヤを回動すると、前記ギヤは、前記ラックに噛み合って、前記第二加熱ブロックを前記第一加熱ブロックに対してスライドさせて、前記第一挟持部と前記第二挟持部との間の距離を調節する。【選択図】図３
2013111653.tif 000002
【特許請求の範囲】
【請求項１】
電気半田ごての熱伝導棒に接続される熱伝導パイプと、前記熱伝導パイプに固定される接続装置と、前記接続装置に固定される第一加熱ブロックと、前記接続装置にスライド可能に装着される第二加熱ブロックと、前記接続装置に回動可能に装着される操作装置と、を備える電気半田ごてヘッドであって、
前記操作装置はギヤを備え、前記第一加熱ブロックは第一挟持部を備え、前記第二加熱ブロックは、第二挟持部及び前記ギヤに噛み合う複数のラックを備え、前記ギヤを回動すると、前記ギヤは、前記ラックに噛み合って、前記第二加熱ブロックを前記第一加熱ブロックに対してスライドさせて、前記第一挟持部と前記第二挟持部との間の距離を調節することを特徴とする電気半田ごてヘッド。
【請求項２】
前記接続装置は、前記熱伝導パイプの一端に固定される固定ブロック及び前記固定ブロックに固定される定位ブロックを備え、前記固定ブロックの底部には、収容スロットが形成され、前記固定ブロックには、その互いに反対側に位置する２つの側壁を貫通し且つ前記収容スロットに連通されて前記ギヤを収容する貫通孔がさらに設けられ、前記第二加熱ブロックは、前記収容スロットにスライド可能に収容されるスライディングシートを備え、複数の前記ラックは、前記スライディングシートの上面に形成されることを特徴とする請求項１に記載の電気半田ごてヘッド。
【請求項３】
前記第一加熱ブロックは、前記定位ブロックに垂直に接続される第一接続部を備え、前記第一挟持部は、前記第一接続部の自由端から前記第二加熱ブロックに向かって斜めに延在して形成されることを特徴とする請求項２に記載の電気半田ごてヘッド。
【請求項４】
前記定位ブロックには、ガイドスロットが設けられ、前記第二加熱ブロックは、前記スライディングシートから垂直に延在して形成され且つ前記ガイドスロットをスライド可能に貫通する第二接続部を備え、前記第二挟持部は、前記第二接続部の自由端から前記第一加熱ブロックに向かって斜めに延在して形成され、前記スライディングシートは前記定位ブロックに当止されることを特徴とする請求項２または３に記載の電気半田ごてヘッド。
【請求項５】
前記定位ブロックには、前記ガイドスロットに連通され且つ前記定位ブロックの一端の端面を貫通する切欠口が設けられ、前記第二加熱ブロックの第二接続部から外に向かって垂直に延在して形成される延在部は、前記切欠口をスライド可能に貫通することを特徴とする請求項４に記載の電気半田ごてヘッド。
【請求項６】
前記ギヤの一端には、前記固定ブロックの貫通孔の外部に露出する操作部が固定されることを特徴とする請求項２から５のいずれか一項に記載の電気半田ごてヘッド。
【発明の詳細な説明】
【技術分野】
【０００１】
本発明は、電気半田ごてヘッドに関するものである。
【背景技術】
【０００２】
レジスターやキャパシターなどの電子部品をプリント回路基板に取り付ける場合、電気半田ごてで電子部品の半田付け端子を加熱してプリント回路基板に半田付けする。従来の電気半田ごては、電子部品の複数の半田付け端子を同時に加熱することができず、他の電気半田ごてを必要として、且つピンセットで電子部品を位置決めするので、使用に不便であり、作業に時間がかかるため、非効率的である。
【発明の概要】
【発明が解決しようとする課題】
【０００３】
本発明の目的は、課題を解決し、使用に便利である電気半田ごてを提供することである。
【課題を解決するための手段】
【０００４】
本発明に係る電気半田ごてヘッドは、電気半田ごての熱伝導棒に接続される熱伝導パイプと、前記熱伝導パイプに固定される接続装置と、前記接続装置に固定される第一加熱ブロックと、前記接続装置にスライド可能に装着される第二加熱ブロックと、前記接続装置に回動可能に装着される操作装置と、を備え、前記操作装置はギヤを備え、前記第一加熱ブロックは第一挟持部を備え、前記第二加熱ブロックは、第二挟持部及び前記ギヤに噛み合う複数のラックを備え、前記ギヤを回動すると、前記ギヤは、前記ラックに噛み合って、前記第二加熱ブロックを前記第一加熱ブロックに対してスライドさせて、前記第一挟持部と前記第二挟持部との間の距離を調節する。
【発明の効果】
【０００５】
本発明の電気半田ごてヘッドの操作装置を操作して、第二加熱ブロックを第一加熱ブロックに対してスライドさせて、第一挟持部と第二挟持部との間の距離を調節することにより、電子部材の複数の半田付け端子を同時に加熱するか又は半田付けをしようとする電子部材を挟持することができ、使用に便利である。
【図面の簡単な説明】
【０００６】
【図１】本発明の実施形態に係る電気半田ごてヘッドの分解斜視図である。
【図２】図１に示す電気半田ごてヘッドを別の視角から見た図である。
【図３】図１に示す電気半田ごてヘッドの組立斜視図である。
【図４】図３に示す電気半田ごてヘッドの使用状態図である。
【図５】図３に示す電気半田ごてヘッドのＥ−Ｅ線に沿う断面図である。
【図６】図４に示す電気半田ごてヘッドのＦ−Ｆ線に沿う断面図である。
【発明を実施するための形態】
【０００７】
以下、図面を参照して、本発明の実施形態について説明する。
【０００８】
図１及び図２を参照すると、本発明の実施形態に係る電気半田ごてヘッド１００は、熱伝導パイプ２０と、熱伝導パイプ２０の下端に設置される接続装置４０と、第一加熱ブロック６０と、第二加熱ブロック８０と、操作装置９０と、を備える。
【０００９】
熱伝導パイプ２０は、電気半田ごての熱伝導棒を収容するために用いられる。
【００１０】
接続装置４０は、矩形の固定ブロック４２及び定位ブロック４４を備える。
【００１１】
固定ブロック４２の頂部は熱伝導パイプ２０の下端に固定され、固定ブロック４２の底部には、矩形の収容スロット４２２が形成される。固定ブロック４２には、その長手方向の２つの側壁を貫通する貫通孔４２４が設けられる。貫通孔４２４は収容スロット４２２に連通される。固定ブロック４２の四隅には、ねじ孔４２６がそれぞれに設けられる。
【００１２】
定位ブロック４４の寸法は、固定ブロック４２の寸法と同じである。定位ブロック４４には、その長手方向に沿って、互いに連通される矩形のガイドスロット４４４及び切欠口４４５が設けられる。切欠口４４５は、定位ブロック４４の一端の端面４４３及びガイドスロット４４４の側壁を貫通する。定位ブロック４４の四隅には、固定孔４４６がそれぞれに設けられる。
【００１３】
第一加熱ブロック６０は、定位ブロック４４の他端に固定される。第一加熱ブロック６０は、定位ブロック４４の底部に垂直に接続される第一接続部６２及び第一接続部６２の自由端から定位ブロック４４の一端に向かって且つ定位ブロック４４から離れると共に後述する第二挟持部８６に向けて接近するように斜めに延在して形成される第一挟持部６４を備える。
【００１４】
第二加熱ブロック８０は、長方形のスライディングシート８２と、スライディングシート８２の一端から下に向かって垂直に延在して形成される第二接続部８４と、第二接続部８４の自由端からスライディングシート８２の他端に向かって且つスライディングシート８２から離れると共に第一挟持部６４に向けて接近するように斜めに延在して形成される第二挟持部８６と、第二接続部８４の上端の片側からスライディングシート８２と離間する方向に向かって垂直に延在して形成される延在部８８と、を備える。スライディングシート８２の頂面には、互いに平行な複数のラック８３が形成され、各々のラック８３の延在方向は延在部８８の延在方向に垂直である。延在部８８には、目盛りが形成される。
【００１５】
操作装置９０は、ギヤ９２及びねじ９４を備える。ギヤ９２の一端には、操作部９２４が固定され、ギヤ９２の他端には、ねじ孔９２２が設けられる。操作部９２４の直径は、固定ブロック４２の貫通孔４２４の直径より大きい。
【００１６】
図３及び図４を参照して、電気半田ごてヘッド１００の組立過程を説明する。先ず、ギヤ９２を固定ブロック４２の貫通孔４２４に回動可能に挿入する。次に、第二加熱ブロック８０のスライディングシート８２の下面（ラック８３が設けられる面の反対側の面）が定位ブロック４４の上面に当接するまで、第二加熱ブロック８０の第二接続部８４を定位ブロック４４の頂部からガイドスロット４４４に挿入して、第二加熱ブロック８０の延在部８８を、定位ブロック４４の切欠口４４５にスライド可能に収容させる。これにより、第一挟持部６４と第二挟持部８６とは互いに向かうように位置する。次に、固定ブロック４２を定位ブロック４４の上面に載置すると、第二加熱ブロック８０のスライディングシート８２は、固定ブロック４２の収容スロット４２２にスライド可能に収容されて、スライディングシート８２のラック８３と操作装置９０のギヤ９２とは噛み合う。次に、４つのねじを定位ブロック４４の４つの固定孔４４６に貫通させてから固定ブロック４２の４つのねじ孔４２６に螺合させて、定位ブロック４４を固定ブロック４２に固定する。最後に、ねじ９４を固定ブロック４２の貫通孔４２４に位置するギヤ９２のねじ孔９２２に螺合させる。この時、操作部９２４を操作することにより、ギヤ９２は固定ブロック４２の貫通孔４２４内で回動し、第二加熱ブロック８０のラック８３はギヤ９２に噛み合うので、第二加熱ブロック８０は定位ブロック４４のガイドスロット４４４に沿ってスライドして、第一加熱ブロック６０の第一挟持部６４と第二加熱ブロック８０の第二挟持部８６との間の距離を調節する。定位ブロック４４の第一端の端面４４３は、第二加熱ブロック８０の延在部８８の１つの目盛りに対応し、この目盛りは、第一加熱ブロック６０の第一挟持部６４と第二加熱ブロック８０の第二挟持部８６との間の距離であり、即ち電子部品の２つの半田付け端子の間の距離と同じである。
【００１７】
図５及び図６を参照すると、電気半田ごてヘッド１００を使用する場合、操作部９２４を操作することにより、ギヤ９２は、第二加熱ブロック８０のラック８３に噛み合って、固定ブロック４２の貫通孔４２４内で回動するとともに第二加熱ブロック８０を連動してスライドさせ、従って第一加熱ブロック６０の第一挟持部６４と第二加熱ブロック８０の第二挟持部８６とが別々に電子部品の２つの半田付け端子に接触するか又は取り付けようとする電子部品を挟み、熱伝導パイプ２０に電力供給された電気半田ごての熱伝導棒を挿入して、電子部品の２つの半田付け端子を同時に加熱することができる。ねじ９４の頭部が固定ブロック４２の側壁に緊密に当接するまで、ねじ９４をギヤ９２のねじ孔９２２に螺合すると、第二加熱ブロック８０を固定することができ、この時、定位ブロック４４の第一端の端面４４３は、第二加熱ブロック８０の延在部８８の１つの目盛りに対応し、この目盛りは、電子部品の２つの半田付け端子の間の距離である。
【００１８】
第二加熱ブロック８０のラック８３はギヤ９２に噛み合うので、第二加熱ブロック８０を固定することができ、ねじ９４の頭部が固定ブロック４２の側壁に緊密に当接するまでねじ９４をギヤ９２のねじ孔９２２に螺合しなくてもよい。
【００１９】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２０】
２０  熱伝導パイプ
４０  接続装置
４２  固定ブロック
４４  定位ブロック
６０  第一加熱ブロック
６２  第一接続部
６４  第一挟持部
８０  第二加熱ブロック
８２  スライディングシート
８３  ラック
８４  第二接続部
８６  第二挟持部
８８  延在部
９０  操作装置
９２  ギヤ
１００  電気半田ごてヘッド
４２２  収容スロット
４２４  貫通孔
４２６，９２２  ねじ孔
４４４  ガイドスロット
４４５  切欠口
４４６  固定孔
９２４  操作部
【図１】
2013111653.tif 000003
【図２】
2013111653.tif 000004
【図３】
2013111653.tif 000005
【図４】
2013111653.tif 000006
【図５】
2013111653.tif 000007
【図６】
2013111653.tif 000008